(57)【要約】【課題】スロットに装着されるアダプタの形状の違いを利用し、スロットを増やすことなく多機能化を実現するデジタル放送受信装置を提供する。【解決手段】カード２０が装着された２種類の形状のアダプタ３０を装着可能なスロット４７を有するデジタル放送受信装置４０において、スロット４７は、装着されたアダプタ３０の形状の違いを検出する検出スイッチ４９を備え、３．３Ｖ用アダプタを検出した場合、テレビ放送受信用カードであると判別し、入力部２６、デコーダ部２７、及び復調部２８によるテレビ放送受信処理を許可し、５Ｖ用アダプタを検出した場合、スクランブル解除用カードであると判別し、所定のスクランブル放送の解除を許可する構成とする。【選択図】図１
2008294907.tif 000002
【特許請求の範囲】
【請求項１】
カードと、該カードが装着されるアダプタと、２種類の形状のアダプタを装着可能なスロットと、制御部とを有するデジタル放送受信装置と、
を含むデジタル放送受信システムにおいて、
前記スロットは、装着されたアダプタの形状の違いを検出する検出スイッチを備え、
前記デジタル放送受信装置の制御部は、
一方の形状のアダプタを検出した場合、テレビ放送受信用カードを装着可能なアダプタであると判別し、該カード内の入力部による高周波信号の入力と、チューナ部による高周波信号から中間周波数信号への変換と、復調部による中間周波数信号の復調とを許可し、
他方の形状のアダプタを検出した場合、スクランブル解除用カードを装着可能なアダプタであると判別し、スクランブル解除用カードが該アダプタに装着されている場合にスクランブル放送の解除を許可すること
を特徴とするデジタル放送受信システム。
【請求項２】
カードと、該カードが装着されるアダプタと、２種類の形状のアダプタを装着可能なスロットと、制御部とを有するデジタル放送受信装置と、
を含むデジタル放送受信システムにおいて、
前記スロットは、装着されたアダプタの形状の違いを検出する検出スイッチを備え、
前記デジタル放送受信装置の制御部は、
一方の形状のアダプタを検出した場合、スクランブル解除兼テレビ放送受信用カードを装着可能なアダプタであると判別し、該カードが該アダプタに装着されている場合にスクランブル放送の解除を許可すると共に、該カード内の入力部による高周波信号の入力と、チューナ部による高周波信号から中間周波数信号への変換と、復調部による中間周波数信号の復調とを許可し、
他方の形状のアダプタを検出した場合、スクランブル解除用カードであると判別し、スクランブル放送の解除を許可すること
を特徴とするデジタル放送受信システム。
【請求項３】
前記一方の形状のアダプタが３．３Ｖ用、前記他方の形状のアダプタが５Ｖ用であること
を特徴とする請求項１又は請求項２に記載のデジタル放送受信システム。
【請求項４】
前記検出スイッチは、前記一方の形状のアダプタでは押下され、前記他方の形状のアダプタでは押下されないこと
を特徴とする請求項１〜請求項３の何れかに記載のデジタル放送受信システム。
【請求項５】
カードが装着された２種類の形状のアダプタを装着可能なスロットと制御部とを有するデジタル放送受信装置において、
前記スロットは、装着されたアダプタの形状の違いを検出する検出スイッチを備え、
前記制御部は、
一方の形状のアダプタを検出した場合、テレビ放送受信用カードを装着可能なアダプタであると判別し、該カード内の入力部による高周波信号の入力と、チューナ部による高周波信号から中間周波数信号への変換と、復調部による中間周波数信号の復調とを許可し、
他方の形状のアダプタを検出した場合、スクランブル解除用カードであると判別し、映像及び音声の出力とスクランブル放送の解除とを許可すること
を特徴とするデジタル放送受信装置。
【請求項６】
カードが装着された２種類の形状のアダプタを装着可能なスロットと制御部とを有するデジタル放送受信装置において、
前記スロットは、装着されたアダプタの形状の違いを検出する検出スイッチを備え、
前記制御部は、
一方の形状のアダプタを検出した場合、スクランブル解除兼テレビ放送受信用カードを装着可能なアダプタであると判別し、該カードが該アダプタに装着されている場合にスクランブル放送の解除を許可すると共に、該カード内の入力部による高周波信号の入力と、チューナ部による高周波信号から中間周波数信号への変換と、復調部による中間周波数信号の復調とを許可し、
他方の形状のアダプタを検出した場合、スクランブル解除用カードであると判別し、スクランブル放送の解除を許可すること
を特徴とするデジタル放送受信装置。
【請求項７】
前記一方の形状のアダプタが３．３Ｖ用、前記他方の形状のアダプタが５Ｖ用であること
を特徴とする請求項５又は請求項６に記載のデジタル放送受信装置。
【請求項８】
前記検出スイッチは、前記一方の形状のアダプタでは押下され、前記他方の形状のアダプタでは押下されないこと
を特徴とする請求項５〜請求項７のいずれかに記載のデジタル放送受信装置。
【請求項９】
アダプタを介してデジタル放送受信装置のスロットに装着されるスクランブル解除兼テレビ放送受信用カードであって、
スクランブル放送の解除を行うデスクランブル部と、
高周波信号の入力を行う入力部と、高周波信号から中間周波数信号への変換を行うチューナ部と、中間周波数信号の復調を行う復調部と、
を備えたことを特徴とするスクランブル解除兼テレビ放送受信用カード。
【発明の詳細な説明】
【技術分野】
【０００１】
本発明は、カードと、該カードが装着されるアダプタと、２種類の形状のアダプタを装着可能なスロットを有するデジタル放送受信装置とを含むデジタル放送受信システムに関する。
【背景技術】
【０００２】
デジタル地上波を使用した地上デジタルテレビ放送（以下、「デジタル放送」と言う）においては、所定の対価を支払って正規の受信契約を結んだ視聴者のみが番組を正しく視聴することができるように、限定受信（ＣＡ：Conditional Access）システムが採用されている。
【０００３】
この限定受信システムでは、番組提供者側が、番組を構成する映像信号や音声信号にスクランブル処理を施して送信するとともに、正規の受信契約を交わした視聴者に対して、スクランブル解除用のカードを支給する。
【０００４】
そして、視聴者がデジタル放送受信装置にカードを装着することにより、受信した映像信号や音声信号に対してデスクランブル処理を施すことができ、番組を正しく視聴することが可能となる。なおデジタル放送受信装置としては、例えばデジタルチューナ、デジタル放送受信対応テレビ、デジタル放送受信対応ハードディスクレコーダ等がある。
【０００５】
また、デジタル放送の方式は世界共通ではなく、各地域で異なった規格が採用されている。従ってそれぞれの放送方式に応じて、スクランブル解除用のカードの規格も異なっている。例えば、日本ではスクランブル解除用のＢ−ＣＡＳ（BS Conditional Access Systems）カードを直接デジタル放送受信装置の所定のスロットに差し込むようになっている。しかし欧州では、スクランブル解除用のカードを５Ｖ用アダプタに差し込み、それをデジタル放送受信装置のＣＩ（Common Interface）スロットに装着するようになっている。なお、ＣＩスロットには３．３Ｖ用アダプタも装着可能となっている。
【０００６】
ところで、デジタル放送サービスが普及するにしたがって、デジタル放送受信装置はさらなる多機能化が進んでいる。
【０００７】
例えば特許文献１には、簡単な構造でＢ−ＣＡＳカードとＣ−ＣＡＳ（Cable-Conditional Access System）カードの両方を利用できる拡張ユニットが開示されている。この拡張ユニットは、カードスロット１とカードスロット２の二つのカードスロットを備えている。そして拡張ユニットがスロットに挿入された際に、スイッチを切り替えにより、カードスロット１はＢ−ＣＡＳ用、カードスロット２はＣ−ＣＡＳ用として使用することができる。
【０００８】
また例えば特許文献２には、携帯電話に代表される移動体通信端末であって、デジタル放送を受信できる機能を備え、ユーザは１枚のＳＩＭカードを所持するだけで、この移動体通信端末を使用して無線による通話とデジタル放送の受信とが行える移動体通信端末が開示されている。更には、ユーザが、移動体通信端末で受信したデジタル放送を他の装置でも閲覧することが可能な移動体通信端末が開示されている。
【特許文献１】特開２００６−２５３９２３号公報
【特許文献２】特開２００６−２３８２４７号公報
【発明の開示】
【発明が解決しようとする課題】
【０００９】
上記のように、デジタル放送受信装置には少なくともスクランブル解除用のカードを装着できるスロットが必要である。また、特許文献１や特許文献２では、拡張ユニットや移動体通信端末を利用したデジタル放送受信装置の多機能化を提案している。しかしながら、特許文献１や特許文献２においては、ＣＩスロットを採用したデジタル放送受信装置に関しては考慮がなされていない。つまりＣＩスロットにおいて用いられる５Ｖ用アダプタと３．３Ｖ用アダプタの形状の違いを利用した機能については、開示も示唆もなされていない。
【００１０】
本発明は、ＣＩスロットに装着されるアダプタの形状の違いを利用し、ＣＩスロットを増やすことなく多機能化を実現するデジタル放送受信装置を提供することを目的とする。また、このデジタル放送受信装置を含むデジタル放送受信システムと、それを構成するスクランブル解除兼テレビ放送受信用カードとを提供することを目的とする。
【課題を解決するための手段】
【００１１】
上記目的を達成するために本発明は、カードと、該カードが装着されるアダプタと、２種類の形状のアダプタを装着可能なスロットと、制御部とを有するデジタル放送受信装置とを含むデジタル放送受信システムにおいて、前記スロットは、装着されたアダプタの形状の違いを検出する検出スイッチを備え、前記デジタル放送受信装置の制御部は、一方の形状のアダプタを検出した場合、テレビ放送受信用カードを装着可能なアダプタであると判別し、該カード内の入力部による高周波信号の入力と、チューナ部による高周波信号から中間周波数信号への変換と、復調部による中間周波数信号の復調とを許可し、他方の形状のアダプタを検出した場合、スクランブル解除用カードを装着可能なアダプタであると判別し、スクランブル解除用カードが該アダプタに装着されている場合にスクランブル放送の解除を許可することを特徴とする。
【００１２】
この構成によると、デジタル放送受信装置のスロットが、装着されたアダプタの形状の違いを検出する検出スイッチを備えている。そして一方の形状のアダプタ、例えば側面突起部により検出スイッチを押下する形状のアダプタが検出された場合、デジタル放送以外のテレビ放送、例えばケーブルテレビ放送や衛星放送等を受信可能であるカード（＝テレビ放送受信用カード）を装着可能なアダプタであると判別する。テレビ放送受信用カードは、テレビ放送網に接続可能な入力部より放送信号（＝高周波信号）を入力し、チューナ部により復調を行い、復調部によりアナログ／デジタル変換を行う。これにより放送信号から映像データ及び音声データを得ることが可能である。
【００１３】
また他方の形状のアダプタ、例えば検出スイッチを押下する突起部が備わっていない形状のアダプタが検出された場合、デジタル放送のスクランブル解除用カードを装着可能なアダプタであると判別する。このアダプタにスクランブル解除用カードが装着された場合、デジタル放送受信装置は所定のスクランブル放送の解除を許可する。このように、アダプタの形状の違いを利用して、テレビ放送受信用カードとスクランブル解除用カードとのどちらが装着されているかを判別することができる。
【００１４】
また本発明は、カードと、該カードが装着されるアダプタと、２種類の形状のアダプタを装着可能なスロットと、制御部とを有するデジタル放送受信装置とを含むデジタル放送受信システムにおいて、前記スロットは、装着されたアダプタの形状の違いを検出する検出スイッチを備え、前記デジタル放送受信装置の制御部は、一方の形状のアダプタを検出した場合、スクランブル解除兼テレビ放送受信用カードを装着可能なアダプタであると判別し、該カードが該アダプタに装着されている場合にスクランブル放送の解除を許可すると共に、該カード内の入力部による高周波信号の入力と、チューナ部による高周波信号から中間周波数信号への変換と、復調部による中間周波数信号の復調とを許可し、他方の形状のアダプタを検出した場合、スクランブル解除用カードであると判別し、スクランブル放送の解除を許可することを特徴とする。
【００１５】
この構成によると、デジタル放送受信装置のスロットが、装着されたアダプタの形状の違いを検出する検出スイッチを備えている。そして一方の形状のアダプタが検出された場合、デジタル放送以外のテレビ放送を受信可能であり、かつ所定のスクランブル放送の解除を許可するカード（＝スクランブル解除兼テレビ放送受信用カード）を装着可能なアダプタであると判別する。また他方の形状のアダプタが検出された場合、デジタル放送のスクランブル解除用カードを装着可能なアダプタであると判別する。このように、アダプタの形状の違いを利用して、スクランブル解除兼テレビ放送受信用カードとスクランブル解除用カードとのどちらが装着されているかを判別することができる。
【００１６】
また本発明は、前記一方の形状のアダプタが３．３Ｖ用、前記他方の形状のアダプタが５Ｖ用であることを特徴とする。
【００１７】
この構成によると、上記のデジタル放送受信システムにおいて、前記一方の形状のアダプタが３．３Ｖ用、前記他方の形状のアダプタが５Ｖ用の形状をしている。これは従来、欧州のデジタル放送受信装置においては３．３Ｖ用と５Ｖ用の兼用のスロットが採用されているためである。なお、スクランブル解除用カードは５Ｖ用のアダプタに装着されて使用される。
【００１８】
また本発明は、前記検出スイッチは、前記一方の形状のアダプタでは押下され、前記他方の形状のアダプタでは押下されないことを特徴とする。
【００１９】
この構成によると、上記のデジタル放送受信システムにおいて、検出スイッチは、一方の形状のアダプタでは押下され、他方の形状のアダプタでは押下されない。これにより検出スイッチは、挿入されたアダプタがどちらの形状であるかを確実に判別することができる。また、検出スイッチとしてタクトスイッチなど安価なスイッチを採用することができる。
【００２０】
また本発明をデジタル放送受信装置に適用すると、カードが装着された２種類の形状のアダプタを装着可能なスロットと制御部とを有するデジタル放送受信装置において、前記スロットは、装着されたアダプタの形状の違いを検出する検出スイッチを備え、前記制御部は、一方の形状のアダプタを検出した場合、テレビ放送受信用カードを装着可能なアダプタであると判別し、該カード内の入力部による高周波信号の入力と、チューナ部による高周波信号から中間周波数信号への変換と、復調部による中間周波数信号の復調とを許可し、他方の形状のアダプタを検出した場合、スクランブル解除用カードであると判別し、映像及び音声の出力とスクランブル放送の解除とを許可する構成となる。
【００２１】
同様に、上記のデジタル放送受信装置においては、前記一方の形状のアダプタが３．３Ｖ用、前記他方の形状のアダプタが５Ｖ用の形状をしている。
【００２２】
また同様に、上記のデジタル放送受信装置においては、検出スイッチは、一方の形状のアダプタでは押下され、他方の形状のアダプタでは押下されない。
【００２３】
また本発明のスクランブル解除兼テレビ放送受信用カードは、アダプタを介してデジタル放送受信装置のスロットに装着され、スクランブル放送の解除を行うデスクランブル部と、高周波信号の入力を行う入力部と、高周波信号から中間周波数信号への変換を行うチューナ部と、中間周波数信号の復調を行う復調部とを備えたことを特徴とする。
【００２４】
この構成によると、スクランブル解除兼テレビ放送受信用カードにより、デスクランブル処理とデジタル放送以外のテレビ放送の受信との両方の機能を提供することができる。
【発明の効果】
【００２５】
本発明によれば、一方の形状のアダプタ及びテレビ放送受信用カードが装着されている場合には前記カードによるテレビ放送受信処理を許可し、他方の形状のアダプタ及びスクランブル解除用カードが装着されている場合にはデスクランブル処理を許可することにより、スロットを増やすことなくテレビ放送受信機能を付加でき多機能化を実現することができる。
【００２６】
また本発明によれば、一方の形状のアダプタ及びスクランブル解除兼テレビ放送受信用カードが装着されている場合にはデスクランブル処理及び前記カードによるテレビ放送受信処理を許可し、他方の形状のアダプタ及びスクランブル解除用カードが装着されている場合にはデスクランブル処理を許可することにより、スロットを増やすことなくテレビ放送受信機能を付加でき多機能化を実現することができる。
【００２７】
また、スロットを増やすことがないので装置の大型化やコスト上昇の問題もない。また、デジタル放送を除くその他のテレビ放送を受信するためのチューナを増設、或いは外部接続する必要がないため、デジタル放送受信装置周辺のスペースを有効活用できると共に、手間を掛けず素早くテレビ放送の受信を行うことができる。
【発明を実施するための最良の形態】
【００２８】
図１は、本発明のデジタル放送受信システムの概略構成を示すブロック図である。デジタル放送受信システム１０は、カード２０と、カード２０が装着されるアダプタ３０と、２種類の形状のアダプタを装着可能なデジタル放送受信装置４０と、アンテナ６０とを含んでいる。
【００２９】
そしてデジタル放送受信装置４０は、デジタルチューナ部４１と、復調＆ＦＥＣ部４２と、データ分離部４３と、映像・音声デコード部４４と、映像合成部４５と、音声Ｄ／Ａコンバータ４６と、スロット４７と、切替部４８と、検出スイッチ４９と、制御部５０とを備えている。
【００３０】
アンテナ６０は、チューナ部に接続されており、デジタル放送の放送電波を受信し、電気信号である放送信号に変換してデジタルチューナ部４１へ出力する。デジタルチューナ部４１は、アンテナ６０から入力された放送信号から制御部５０が指示する周波数の放送信号を抽出し、該抽出した放送信号に対して周波数変換を行って中間周波数信号を生成し、復調＆ＦＥＣ部４２へ出力する。
【００３１】
復調＆ＦＥＣ部４２は、中間周波数信号に対して復調及びエラー訂正（ＦＥＣ）等を行ってＭＰＥＧ−２ＴＳ（ＭＰＥＧ−２トランスポートストリーム）方式のデータ（以下、「ＴＳ」と言う）を生成する。スクランブルの掛かっていないＴＳの場合はデータ分離部４３へ出力し、スクランブルの掛かっているＴＳの場合はカード２０へ出力する。装着されているカード２０が後述するスクランブル解除用カード２５又はスクランブル解除兼テレビ放送受信用カード２９である場合は、カード内でＴＳがデスクランブル処理されデータ分離部４３へ出力される。
【００３２】
データ分離部４３は、入力されたＴＳを映像ストリームと音声ストリームとに分離し、映像・音声デコード部４４へ出力する。映像・音声デコード部４４は、データ分離部４３から入力された映像ストリーム及び音声ストリームを、ＭＰＥＧ−２方式で圧縮された映像データ及び音声データへデコードする。そしてデコードした映像データを映像合成部４５へ出力し、デコードした音声データを音声Ｄ／Ａコンバータ４６へ出力する。
【００３３】
映像合成部４５は、入力された映像データと、自ら生成した映像データとを合成し、合成データに基づく表示用信号を表示装置（不図示）へ出力する。また、映像合成部４５は、上記合成を行わず、自ら生成した映像データに基づく表示用信号を出力する機能も備えている。
【００３４】
音声Ｄ／Ａコンバータ４６は、入力された音声データをデジタルからアナログに変換し、スピーカ（不図示）へ出力する。なお、表示装置及びスピーカは、デジタル放送受信装置４０と一体である形態でもよいし、外部装置として接続する形態であってもよい。
【００３５】
スロット４７は、２種類の形状のアダプタ３０を装着可能なスロットである。ここでは、駆動電圧が５Ｖ用のアダプタと３．３Ｖ用のアダプタとを装着できるものとして説明する。切替部４８は制御部５０とスロット４７との間に設けられ、制御部５０の指示によって切替部４８内の回路の切り替えを行う。これにより電源部（不図示）からスロット４７に供給される電源電圧を５Ｖ用と３．３Ｖ用とで変更することが可能である。
【００３６】
検出スイッチ４９は、スロット４７内に設けられ、スロット４７に装着されるアダプタ３０の形状の違いを検出するためのものである。なお、検出スイッチ４９の詳細については後述する。
【００３７】
制御部５０は、デジタル放送受信装置４０の各部を制御するためのものである。制御部５０は例えば、デジタルチューナ部４１に対して抽出する放送信号の周波数を指示したり、文字や図形等の映像データを生成して映像合成部４５へ出力したりする。
【００３８】
カード２０には複数の種類があり、例えば受信契約を結んだ視聴者に支給されるスクランブル解除用カード２１、デジタル放送受信装置４０の付属品でありデジタル放送以外のテレビ放送を受信可能なテレビ放送受信用カード２５、及び両者の機能を兼ね備えたスクランブル解除兼テレビ放送受信用カード２９が存在する。またアダプタ３０には複数の種類があり、例えば５Ｖの電源電圧で駆動する５Ｖ用アダプタ３１（＝他方の形状のアダプタ）と、５Ｖ及び３．３Ｖの両方の電源電圧で駆動可能な３．３Ｖ用アダプタ３２（＝一方の形状のアダプタ）が存在する。
【００３９】
スクランブル解除用カード２１は５Ｖ用アダプタ３１に装着して用いる仕様となっている。テレビ放送受信用カード２５及びスクランブル解除兼テレビ放送受信用カード２９は３．３Ｖ用アダプタ３２に装着して用いる仕様となっている。なお、カード２０の形態には特に限定はなく、例えば、ＩＣカード、ＳＤメモリカード、ＣＦカードなどを用いることができる。
【００４０】
図２に、５Ｖ用アダプタ３１にスクランブル解除用カード２１が装着された状態のブロック図を示す。また図３に、３．３Ｖ用アダプタ３２にテレビ放送受信用カード２５が装着された状態のブロック図を示す。また図４に、３．３Ｖ用アダプタ３２にスクランブル解除兼テレビ放送受信用カード２９が装着された状態のブロック図を示す。
【００４１】
図２に示すように、スクランブル解除用カード２１は５Ｖ用アダプタ３１に装着して使用する。スクランブル解除用カード２１には、解除キー２２と、デスクランブル部２３とが内蔵されている。解除キー２２は、スクランブルの掛かった所定の番組を解除するためのキー情報であり、この解除キー２２の種類によって受信契約を結んだ番組のスクランブル解除を行うことができる。デスクランブル部２３は、復調＆ＦＥＣ部４２から入力されたＴＳをデスクランブル処理し、データ分離部４３へ出力する。以後の処理はスクランブルの掛かっていないＴＳと同様に行うことができる。
【００４２】
図３に示すように、テレビ放送受信用カード２５は３．３Ｖ用アダプタ３２に装着して使用する。テレビ放送受信用カード２５には、入力部２６、チューナ部２７、及び復調部２８が内蔵されている。入力部２６は、デジタル放送を除くその他のテレビ放送、例えばケーブルテレビ放送や衛星放送等の放送網に接続されて放送信号を入力する。チューナ部２７は、入力部２６より入力した放送信号から制御部５０が指示する周波数の放送信号を抽出し、該抽出した放送信号に対して周波数変換を行って中間周波数信号を生成する。復調部２８は、中間周波数信号に対して復調及びエラー訂正等を行ってＴＳを生成し、スロット４７を介してデータ分離部４３へ出力する。
【００４３】
図４に示すように、スクランブル解除兼テレビ放送受信用カード２９は３．３Ｖ用アダプタ３２に装着して使用する。スクランブル解除兼テレビ放送受信用カード２９は、上記のスクランブル解除用カード２１とテレビ放送受信用カード２５の機能を合わせもったカードであり、解除キー２２、デスクランブル部２３、入力部２６、チューナ部２７、及び復調部２８が内蔵されている。このスクランブル解除兼テレビ放送受信用カード２９によれば、デスクランブル処理とテレビ放送受信処理とを行うことができる。
【００４４】
図５は、５Ｖ用アダプタ３１の外観図であり、（ａ）は平面図、（ｂ）は正面図、（ｃ）は側面図である。図６は、３．３Ｖ用アダプタ３２の外観図であり、（ａ）は平面図、（ｂ）は正面図、（ｃ）は側面図である。図５では図示していないが、スクランブル解除用カード２１は５Ｖ用アダプタ３１の背面側から挿入されて５Ｖ用アダプタ３１内に装着される。また図６では図示していないが、テレビ放送受信用カード２５及びスクランブル解除兼テレビ放送受信用カード２９は３．３Ｖ用アダプタ３２の背面側から挿入されて３．３Ｖ用アダプタ３２内に装着される。
【００４５】
図５と図６を比較するとわかるように、５Ｖ用アダプタ３１及び３．３Ｖ用アダプタ３２の右側面の正面端部には、それぞれ切り欠き３１ａ、切り欠き３２ａが形成されており、切り欠き３１ａの厚みが切り欠き３２ａの厚みよりも厚くなっている。５Ｖ用アダプタ３１及び３．３Ｖ用アダプタ３２のそれ以外の形状は同じである。
【００４６】
次に、検出スイッチ４９の詳細について説明する。図７は、５Ｖ用アダプタ３１が装着された状態の検出スイッチ４９の外観図であり、（ａ）は平面図、（ｂ）は正面図である。図８は、３．３Ｖ用アダプタ３２が装着された状態の検出スイッチ４９の外観図であり、（ａ）は平面図、（ｂ）は正面図である。
【００４７】
検出スイッチ４９は、スロット４７の側面４７ａに配設されている。図７に示すように５Ｖ用アダプタ３１がスロット４７に装着された場合、検出スイッチ４９は切り欠き３１ａにより５Ｖ用アダプタ３１の側面と接触せず、従って押下されない。また図８に示すように３．３Ｖ用アダプタ３２がスロット４７に装着された場合、検出スイッチ４９は切り欠き３２ａの下方のアダプタ側面３２ｂと接触して押下される。
【００４８】
検出スイッチ４９は、略直方体であり、少なくとも挿入側端部４９ａの角は、丸めるか斜めに形成しておくことが望ましい。これは３．３Ｖ用アダプタ３２が挿入される際に検出スイッチ４９がスムーズに押下されるようにするためである。また検出スイッチ４９は、押下されていない状態でＯＦＦ、押下されている状態でＯＮとなるスイッチであり、タクトスイッチなどを用いることができる。
【００４９】
なお、検出スイッチ４９は上記の形状に限定されることはなく、例えば、棒状（針状）にしてアダプタ３０の挿入方向に押下されるように、切り欠き３１ａに対向するスロット４７の奥面４７ｂに配設してもよい。
【００５０】
次に、スクランブル解除及びテレビ放送受信に関するデジタル放送受信装置４０の動作について説明する。図９は、デジタル放送受信装置４０の動作を示すフローチャートである。
【００５１】
まず制御部５０は、ステップＳ１０においてカード２０及びアダプタ３０がスロット４７に装着されたか否かを判別する。これは、制御部５０に入力されるカードディテクト信号によって判別される。例えば、スロット４７に何も装着されていない場合にはカードディテクト信号がｈｉｇｈになるようにし、カード２０及びアダプタ３０が装着された場合にはカードディテクト信号がｌｏｗとなるようにすれば判別できる。
【００５２】
ステップＳ１０においてアダプタ３０がスロット４７に装着されていないと判別した場合は、ステップＳ１１へ進んで映像及び音声をデスクランブル処理なしで出力する。つまり、スクランブルの掛かっていない番組は視聴できるがスクランブルの掛かった番組は視聴できない状態となる。
【００５３】
一方、ステップＳ１０においてアダプタ３０がスロット４７に装着されていると判別した場合は、ステップＳ１２へ進んで検出スイッチ４９のＯＮ／ＯＦＦを判別する。ステップＳ１２において検出スイッチ４９の状態がＯＦＦと判別された場合、５Ｖ用アダプタ３１が装着されていると判断される。この結果、ステップＳ１３へ進んでスクランブル解除用カード２１によるデスクランブル処理を許可する。
【００５４】
一方、ステップＳ１２において検出スイッチ４９の状態がＯＮと判別された場合、３．３Ｖ用アダプタ３２が装着されていると判断される。このため、ステップＳ１４へ進んでデスクランブル処理及びテレビ放送受信処理を許可する。ただし３．３Ｖ用アダプタ３２にテレビ放送受信用カード２５が装着されている場合、デスクランブル処理の許可はなされるものの、実際にはデスクランブル処理は実施されない。
【００５５】
テレビ放送受信処理の許可がなされると、ステップＳ１５へ進んで入力部２６から放送信号の入力が行われているかどうかを判別する。ステップＳ１５において放送信号が入力されていないと判別した場合は、ステップＳ１６へ進みテレビ放送の受信処理を行わない。従ってＴＳの出力も行われない。
【００５６】
一方、ステップＳ１５において放送信号の入力が行われていると判別した場合、ステップＳ１７へ進んでチューナ部２７による放送信号から中間周波数信号への変換処理を行う。そしてステップＳ１８へ進んで、復調部２８による中間周波数信号からＴＳへの復調を行う。復調により得られたＴＳは、スロット４７を経由してデータ分離部４３に送られる。これによりユーザはリモコン等の操作部（不図示）を操作することにより、デジタル放送以外のテレビ放送を受信して視聴することが可能となる。
【００５７】
なお、デジタルチューナ部４１により受信されるデジタル放送と、テレビ放送受信用カード２５及びスクランブル解除兼テレビ放送受信用カード２９により受信されるテレビ放送とのどちらを出力表示するかの選択は、例えば映像合成部４５により生成されるＯＳＤ（On Screen Display）画面等により行う。ユーザはデジタル放送受信装置４０の各種設定を行うためのＯＳＤ画面を表示させ、その中で使用するチューナを選択することが可能である。また或いは、リモコン等の操作部に予めチューナ切り替え用のボタンが備えられている形態でもよい。
【００５８】
このように、５Ｖ用アダプタ３１が装着されている場合にはデスクランブル処理を許可し、３．３Ｖ用アダプタ３２が装着されている場合にはテレビ放送受信処理及びデスクランブル処理を許可することにより、スロットを増やすことなくテレビ放送受信機能を付加でき、多機能化を実現することができる。また、スロットを増やすことがないので装置の大型化やコスト上昇の問題もない。また、デジタル放送以外のテレビ放送を受信するためのチューナを増設、或いは外部接続する必要がないため、手間を掛けず素早くテレビ放送の受信を行うことができる。
【００５９】
以上、好ましい実施の形態及び実施例をあげて本発明を説明したが、本発明は必ずしも上記実施の形態に限定されるものではなく、その技術的思想の範囲内において様々に変形して実施することができる。
【００６０】
従って本発明は、以下の形態にも適用可能である。
（Ａ）本実施形態では、テレビ放送受信用カード２５に入力部２６、チューナ部２７、及び復調部２８を備えているが、これらの一部または全部が３．３Ｖ用アダプタ３２に搭載されている実施形態であってもよい。また、アダプタ機能を持たない３．３Ｖ用のＣＩカードに対して上記機能部を搭載する実施形態であってもよい。この場合、３．３Ｖ用ＣＩカードにスロット４７を設ける必要がないため、３．３Ｖ用ＣＩカードの構成を簡略化することができる。
【００６１】
（Ｂ）本実施形態では一方の形状のアダプタとして３．３Ｖ用アダプタ３２、他方の形状のアダプタとして５Ｖ用アダプタ３１を例に挙げて説明しているが、これら以外の形状のアダプタを用いて、アダプタの性能を判別する形態であってもよい。
【産業上の利用可能性】
【００６２】
本発明のデジタル放送受信装置は、セットトップボックスをはじめとし、テレビ、ＤＶＤレコーダやＨＤＤレコーダ等の記録再生装置、それらの複合機に利用することができる。
【図面の簡単な説明】
【００６３】
【図１】本発明のデジタル放送受信システムの概略構成を示すブロック図である。
【図２】５Ｖ用アダプタにスクランブル解除用カードが装着された状態のブロック図である。
【図３】３．３Ｖ用アダプタにテレビ放送受信用カードが装着された状態のブロック図である。
【図４】３．３Ｖ用アダプタにスクランブル解除兼テレビ放送受信用カードが装着された状態のブロック図である。
【図５】５Ｖ用アダプタの外観図であり、（ａ）は平面図、（ｂ）は正面図、（ｃ）は側面図である。
【図６】３．３Ｖ用アダプタの外観図であり、（ａ）は平面図、（ｂ）は正面図、（ｃ）は側面図である
【図７】５Ｖ用アダプタが装着された状態の検出スイッチの外観図であり、（ａ）は平面図、（ｂ）は正面図である。
【図８】３．３Ｖ用アダプタが装着された状態の検出スイッチの外観図であり、（ａ）は平面図、（ｂ）は正面図である。
【図９】デジタル放送受信装置の動作を示すフローチャートである。
【符号の説明】
【００６４】
１０    デジタル放送受信システム
２０    カード
２１    スクランブル解除用カード
２５    テレビ放送受信用カード
２６    入力部
２７    チューナ部
２８    復調部
２９    スクランブル解除兼テレビ放送受信用カード
３０    アダプタ
３１    ５Ｖ用アダプタ（他方の形状のアダプタ）
３２    ３．３Ｖ用アダプタ（一方の形状アダプタ）
４７    スロット
４９    検出スイッチ
【図１】
2008294907.tif 000003
【図２】
2008294907.tif 000004
【図３】
2008294907.tif 000005
【図４】
2008294907.tif 000006
【図５】
2008294907.tif 000007
【図６】
2008294907.tif 000008
【図７】
2008294907.tif 000009
【図８】
2008294907.tif 000010
【図９】
2008294907.tif 000011